(57)【特許請求の範囲】
【請求項１】
田畑の周囲に裸電線を張設し、この裸電線に衝撃電圧を印加して、害獣の田畑への侵入を防止する電気柵において、その裸電線の下方に敷設する電気柵用防草シートであって、化学繊維を織って作られたシートに、導電物を織り込んだことを特徴とする電気柵用防草シート。
【発明の詳細な説明】
【０００１】
【発明の属する技術分野】
本発明は、害獣の田畑への侵入を防止するために設置される電気柵の裸電線の下方における草類の生長を抑えるために、電気柵の裸電線の下方に敷設する電気柵用防草シートに関する。
【０００２】
【従来の技術】
中山間地域の農村地帯では、田畑を荒らす猪等の害獣を電気ショックで撃退するために電気柵が多く使用されている。
【０００３】
この電気柵は図７に示すように、田畑の周囲に打設された支柱２に取り付けられた碍子１ａ、碍子１ｂにより支持された裸電線３ａ、裸電線３ｂを張設し、その裸電線３ａ、裸電線３ｂを約５０ｍごとに裸電線からなる上下結線４で結線したものである。地表より１段目の裸電線３ｂは地表より約２０ｃｍ程度、裸電線３ａは裸電線３ｂの上方約２０ｃｍ程度の比較的低い位置に張設されている。そして、この張設された裸電線３ａ、裸電線３ｂに、電池もしくはバッテリー等を電源としている衝撃電圧発生器５より発生された衝撃電圧が印加されている。
【０００４】
田畑に侵入しようとして、この張設された裸電線３ａもしくは裸電線３ｂに接触した猪等の害獣には図７中の矢印のように衝撃電圧発生器５の出力端子６、出力線７、裸電線３ａ、上下結線４、裸電線３ｂ、猪８、地中９、アース棒１０、アース線１１、アース端子１２の順路で衝撃電流が流れ、猪８は電気ショックにより電撃を受け、田畑へ侵入する意欲を失い、侵入をあきらめる。
【０００５】
この電気柵において地表より１段目の裸電線３ｂの張設された高さは地表より約２０ｃｍと低いため、裸電線３ｂの下の草類が生長を続け、この草類が裸電線３ｂ及び裸電線３ａに接触すると  衝撃電流はこの接触した草類を通して地中へ漏電することになる。この漏電は裸電線３ｂまたは裸電線３ａに触れる草類の数が増えるのに略比例して多くなり、そして、漏電が多くなれば多くなるほど衝撃電圧発生器５から裸電線３ａ、裸電線３ｂにかかる衝撃電圧は減少することになる。その結果、猪等の害獣に有効な衝撃電流を与えることができなくなる。
【０００６】
したがって、猪等の害獣が裸電線３ｂまたは裸電線３ａに触れると害獣に電気ショックを与えるという電気柵のこの忌避効果を維持するためには、裸電線３ｂまたは裸電線３ａに接触している草類、又は、接触しようとしている草類を常に取り除く作業が必要である。このため、従来の電気柵では設置コース上に除草剤を使用することも実施されている。
【０００７】
【発明が解決しようとする課題】
しかしながら、近年除草剤の環境への影響や地盤が緩む等の理由で、除草剤を使用しない場合も多く見られる。除草剤を使用しない場合は、草類が生長し、電気柵の裸電線に触れようとする度に草類の刈り払い作業を頻繁に行う必要がある。しかも、支柱付近に生えた草類を刈り払い機により刈り払おうとすれば、支柱に誤って刈り払い機の回転している刃物を当ててしまい、支柱を切断または破損させてしまうのが常であるために、支柱付近に生えた草類は手作業によって草取りをする必要があり、これには、大変な手間がかかり、作業者の負担が極めて大きいという問題があった。
【０００８】
また、電気柵の裸電線の下方の草類の生長を抑えるために、電気柵を設置するコース上に化学樹脂で製造されたフィルム状のシートを敷設することも行われている。しかしながら、化学樹脂で製造されたフィルム状のシートを使用した場合、このフィルムは電気的な絶縁物であるから、地表との導電性を充分には確保することができない。そのため、猪等の害獣が化学樹脂で製造されたフィルム状のシートに両足を載せ、電気柵の裸電線に触れたとしても衝撃電流が害獣の体内を通り効果的に地中に流れ込むことができず、害獣に有効な衝撃電流を与えることができないという問題があった。
【０００９】
そこで、本発明が解決しようとする課題は、猪等の害獣の田畑への侵入を防止する目的の電気柵において、電気柵の裸電線の下方の草類の生長を抑制することにより、草類の刈り払いに要する時間と手間を不要又は大幅に削減することができ、しかも、衝撃電圧発生器より発生した衝撃電流が害獣の体内を通り効果的に地中に流れ込むことにより、害獣に有効な衝撃電流を与えることができる電気柵用防草シートを提供することにある。
【００１０】
【課題を解決するための手段】
前記課題を解決するために、本発明の電気柵用防草シートは、化学樹脂でできたフィルムを使用せず、化学繊維で織られたシートに、導電物を織り込んだものである。
【００１１】
すなわち、本発明の電気柵用防草シートは、田畑の周囲に裸電線を張設し、この裸電線に衝撃電圧を印加して、害獣の田畑への侵入を防止する電気柵において、その裸電線の下方に敷設する電気柵用防草シートであって、化学繊維を織って作られたシートに、導電物を織り込んだことを特徴とする。
【００１２】
これにより、本発明の電気柵用防草シートを敷設した範囲の草類の生長が抑えられるため、草類の刈り払いに要する時間と手間を不要又は大幅に削減することができる。そして、導電物を織り込んだことにより本発明の電気柵用防草シートの表面と裏面のどちらにでも導電物が表出することになり、害獣と地表との導電性が確保されるので、衝撃電流が害獣の体内を通り効果的に地中に流れ込むことにより、害獣に有効な衝撃電流を与えることができる。
【００１３】
【発明の実施の形態】
以下、本発明の電気柵用防草シートを、猪等の害獣撃退用電気柵に適用した例によって、本発明の実施の形態を説明する。
【００１４】
図１は、本発明の電気柵用防草シートの平面図であり、図２は図１の電気柵用防草シートの一部２４の拡大図である。
【００１５】
本発明の電気柵用防草シート２０の本体は、図１及び図２に示すように耐候性ポリプロピレンの幅約２．０ｍｍ、厚さ約０．４ｍｍ程度の細帯２５を縦横に織り込んで形成されたものである。この細帯２５の色は周囲の景観を損なわないよう、また、耐候性を強めるために一般的に黒色系が使用される。
【００１６】
幅方向の中央部には色違いの細帯が中央線２１として織り込まれている。本実施例では、銀色の細帯を織り込んでいる。これは、電気柵用支柱２を打設する位置を示す線となる。また、幅方向の両端より５ｃｍ程度離れた各位置にも色違いの細帯が止め杭打ち込み線２３、止め杭打ち込み線２３’として織り込まれている。本実施例では、青色の細帯を織り込んでいる。これは、電気柵用防草シート２０を地表に押止するための杭を打ち込む位置を示す線になるものである。さらに、中央線２１から幅方向へ約２０ｃｍ程度離れた各位置にはステンレス線が導電物２２、導電物２２’として織り込まれている。ステンレス線は直径０．３ｍｍ程度のものを使用している。
【００１７】
図１の２４部分を拡大した図２に示すように、導電物２２及び導電物２２’は電気柵用防草シート２０の本体を形成する耐候性ポリプロピレンの細帯２５と同時に織り込まれ、また、完成した電気柵用防草シート２０の表面と裏面の両方に交互に表出するように織り込まれている。
【００１８】
以下、本発明の電気柵用防草シート２０を敷設し、電気柵を設置する手順を図３を参照して説明する。
【００１９】
まず、田畑の周囲に電気柵を施工するコースを決定し、この決定された電気柵を施工するコース上に草類が生えているなら、そのコース上の草類を１ｍ程度の幅のラインで刈り払う。電気柵を施工するコース上の草類を刈り払い終えたら、電気柵の施工コースに電気柵用防草シート２０を図３のように敷いてゆく。電気柵用防草シート２０は幅７５ｃｍ程度で長さが約１００ｍ程度あり、図４に示すように反物状に巻かれているので、転がすようにして電気柵用防草シート２０を敷いてゆく。
【００２０】
次に、図３に示すように、電気柵用防草シート２０の中央線２１の上に電気柵用支柱２を打設する。すると、電気柵用防草シート２０は仮固定される。中央線２１に電気柵用支柱２を打設していく間隔は、電気柵用防草シート２０を使用しないで電気柵を施工する際に電気柵用支柱２を打設していく間隔と同じで、現場地形が平坦であれば３ｍ〜５ｍの間隔で電気柵用支柱２を打設してゆく。電気柵用支柱２が地中に打設される部分の深さは、電気柵用支柱２の長さが本実施例では約９０ｃｍであるので約２５ｃｍ位が理想であるが、地面が硬く電気柵用支柱２が地中に打設される部分の深さが２５ｃｍに満たなくとも電気柵用支柱２がぐらつかずに、ある程度固定されれば問題ない。
【００２１】
全ての電気柵用支柱２を打設し、敷き終えた電気柵用防草シート２０の仮固定を終えた後は、電気柵用防草シート２０を押止し固定するために、電気柵用防草シート２０の幅方向の両端より５ｃｍ程の各位置に織り込まれた色違いの止め杭打ち込み線２３及び２３’に止め杭３０を押し込み押止してゆく。止め杭３０を押止してゆく間隔は５０ｃｍ〜２ｍと電気柵用支柱２を打設した時ほどに気を配る必要はない。
【００２２】
ここまでの作業で電気柵用防草シート２０を敷設し終わると、後は通常の電気柵施工方法と同じである。
【００２３】
本実施例の猪用電気柵では、打設された電気柵用支柱２に地表より約２０ｃｍの高さに碍子１ｂを取り付けて固定し、その碍子１ｂの上方約２０ｃｍの位置に碍子１ａを取り付けて固定し、碍子１ａに裸電線３ａを巻き掛けて支持させ、碍子１ｂに裸電線３ｂを巻き掛けて支持する。
【００２４】
上下２段の裸電線３ａと裸電線３ｂは約５０ｍごとに裸電線からなる上下結線４で結線し電気的に接続する。そして、電気柵の衝撃電圧発生器５を据え付け、衝撃電圧発生器５の出力端子６から出ている出力線７を裸電線３ａに電気的に接続し、また、衝撃電圧発生器５のアース端子１２にアース線１１を取り付け、そのアース線１１の先に接続されたアース棒１０を地中９に打ち込む。
【００２５】
以上の作業で、本発明の電気柵用防草シート２０を用いた電気柵の施工が整い、この状態で衝撃電圧発生器５の電源スイッチ１３を入れると裸電線３ａ、裸電線３ｂへ１秒間に１回の割合で繰り返すパルス状の衝撃電圧が裸電線３ａ、裸電線３ｂに印加されることになる。なお、前述した実施例では、衝撃電圧発生器５の出力端子６から出ている出力線７を裸電線３ａに接続したが、裸電線３ａ、裸電線３ｂは上下結線４で電気的に接続されているので、衝撃電圧発生器５の出力端子６から出ている出力線７は裸電線３ａに接続しないで裸電線３ｂに接続しても裸電線３ａ、裸電線３ｂ双方に衝撃電圧は印加される。
【００２６】
図５は猪が田畑へ侵入しようとして裸電線３ａ又は裸電線３ｂに接触している状態を示す正面図であり、図６はその側面図である。
【００２７】
猪８が田畑に侵入しようと電気柵用防草シート２０の導電物２２又は導電物２２’に前足を載せて衝撃電圧が印加された裸電線３ａ又は裸電線３ｂに体の一部が触れると、下記の順路で猪８の体内に衝撃電流が流れ、猪８は強烈な電気ショックを受ける。すなわち、図５において衝撃電流は、衝撃電圧発生器５の出力端子６、出力線７、裸電線３ａ、上下結線４、裸電線３ｂ、猪８の体の一部、猪８の前足、導電物２２、地中９、アース棒１０、アース線１１、アース端子１２、衝撃電圧発生器５の順路で流れることになる。
【００２８】
本実施例の電気柵用防草シート２０の場合、電気柵用支柱２を打設した中央線２１の両側約２０ｃｍ程の二つの位置に導電物２２及び導電物２２’がそれぞれ織り込まれているために、電気柵の設置コース上に、平面上において、電気柵用防草シート２０を右廻りに敷設しても、左廻りに敷設しても、必ず猪８の侵入側に、織り込まれた導電物２２又は導電物２２’が配置されることになる。本実施例では導電物は、導電物２２、及び導電物２２’のように、電気柵用防草シート２０の２ケ所に織り込んだがこの導電物の数を増すことにより、より効果的に衝撃電流を猪等に流すことができる。
【００２９】
また、本実施例では電気柵用防草シート２０の幅を７５ｃｍ程度としているので、電気柵用防草シート２０の中央線２１から、電気柵用防草シート２０の幅方向の端の位置まで約３７．５ｃｍ程度であり、たとえ猪８が電気柵用防草シート２０の導電物２２又は導電物２２’の上に前足を載せなくとも通常は後ろ足が地面についているので、猪８の体の一部が衝撃電圧のかかった裸電線３ａ又は裸電線３ｂに触れると、下記の順路で猪８の体内に衝撃電流が流れ、猪８は電気ショックを受ける。すなわち図５及び図６において衝撃電流は、衝撃電圧発生器５の出力端子６、出力線７、裸電線３ａ、上下結線４、裸電線３ｂ、猪８、猪の後ろ足８’、地中９、アース棒１０、アース線１１、アース端子１２、衝撃電圧発生器５の順で流れ、猪８は電気的ショックを受ける。
【００３０】
そして、電気柵の裸電線の下方に敷設された電気柵用防草シート２０の下の草類の生長は抑制され、除草が不要又は大幅に削減できる。さらに、電気柵用防草シート２０は化学繊維で織られているので、これを敷設することによって、その部分のぬかるみを防止できる。特に、本実施例のように、化学繊維としてポリプロピレンを使用すると、電気柵用防草シート２０の耐候性・耐久性・耐薬品性が向上するとともに、その表面が滑りにくくなる。
【００３１】
【発明の効果】
本発明の電気柵用防草シートは導電物を織り込んだことにより、その表面と裏面のどちらにでも導電物が表出することになり、衝撃電圧発生器より発生した衝撃電流が害獣の体内を通り効果的に地中に流れ込むことにより、害獣に有効な衝撃電流を与えることができる。
【００３２】
そして、電気柵用防草シートを敷設した範囲の草類の生長が抑えられるため、草類の刈り払いに要する時間と手間を不要又は大幅に削減することができる。
【図面の簡単な説明】
【図１】本発明の電気柵用防草シートの平面図である。
【図２】本発明の電気柵用防草シートの平面の部分拡大図である。
【図３】本発明の電気柵用防草シートを用いた電気柵の設置例を示す概要図である。
【図４】本発明の電気柵用防草シートの全体図である。
【図５】本発明の電気柵用防草シートを下方に敷設した電気柵の設置例を正面から見たものであり、猪が電気ショックを受けた時の衝撃電流の流れを説明する図である。
【図６】図５を側面から見た図である。
【図７】従来の電気柵の設置例を示す概要図である。
【符号の説明】
１ａ、１ｂ  碍子
２  電気柵用支柱
３ａ、３ｂ  裸電線
４  上下結線
５  衝撃電圧発生器
６  出力端子
７  出力線
８  猪
８’猪の後ろ足
９  地中
１０  アース棒
１１  アース線
１２  アース端子
１３  電源スイッチ
２０  電気柵用防草シート
２１  中央線
２２、２２’  導電物
２３、２３’  止め杭打ち込み線
２４  電気柵用防草シートの一部
２５  細帯
３０  止め杭
【図１】
0003819801.tif 000002
【図２】
0003819801.tif 000003
【図３】
0003819801.tif 000004
【図４】
0003819801.tif 000005
【図５】
0003819801.tif 000006
【図６】
0003819801.tif 000007
【図７】
0003819801.tif 000008